(57)【要約】【課題】ラベルの貼付位置の正確な位置決めを簡単かつ迅速に行う。【解決手段】ラベルシート２６は、粘着面を有するラベル２１と、このラベル２１を被貼付物に貼付するまでの間ラベル２１の粘着面を保護する離型紙２４とからなる。ラベル２１には、被貼付物の表面に形成された凸部に対応して中央部に開口が形成されている。開口に対応する中抜き部分２９とラベル２１とは切り込み２８によって分離されている。この中抜き部分２９と離型紙２４とは、ラベル２１が被貼付物に貼付された後、廃棄される。離型紙２４は、第１部分３１と第２部分３２とに分割されている。第１部分３１の端縁の一部は、第２部分３２と中抜き部分２９とをラベル２１から剥離したときに開口が露呈されるようになっており、この部分が位置決め部３１ａとなる。位置決め部３１と前記凸部とを突き合わせてラベル２１を位置決めし、その状態でラベル２１の一部を接着する。【選択図】　　　　図２
2004093899.tif 000002
【特許請求の範囲】
【請求項１】
粘着剤が塗布され被貼付物に接着される粘着面を有するラベルと、このラベルを前記被貼付物へ貼付するまでの間前記粘着剤を保護するために前記粘着面に貼付され、前記被貼付物への貼付時にラベルから剥離される離型紙とからなるラベルシートにおいて、
前記離型紙に、前記被貼付物の表面に形成された凸部と突き合わせることにより前記ラベルの貼付位置を位置決めする位置決め部を形成するとともに、この位置決め部によって位置決めをした状態でラベルの一部を前記被貼付物の貼付面に接着させることができるように、前記離型紙を、前記位置決め部が形成された第１部分と、この第１部分よりも先にラベルから剥離される第２部分との少なくとも２つの部分に分割したことを特徴とするラベルシート。
【請求項２】
前記ラベルのうち、前記被貼付物に貼付される貼付部分の他に、前記被貼付物に貼付されない不要部分が離型紙上にある場合には、前記不要部分の大半が前記第２部分と対面するように、前記第１及び第２の各部分を分かつ分割線を形成し、前記第２部分を前記貼付部分から剥離するときに、前記不要部分を前記第２部分とともに貼付部分から分離できるようにしたことを特徴とする請求項１記載のラベルシート。
【請求項３】
粘着剤が塗布され被貼付物に接着される粘着面を有するラベルと、このラベルを前記被貼付物へ貼付するまでの間前記粘着剤を保護するために前記粘着面に貼付され、前記被貼付物への貼付時にラベルから剥離される離型紙とからなるラベルシートを用いたラベル貼付方法において、
少なくとも２つの部分に分割された前記離型紙の第２部分をラベルから剥離することにより、前記ラベルの粘着面の一部を露呈させ、前記被貼付物の表面に形成された凸部と前記離型紙の第１部分に形成された位置決め部分とを突き合わせて前記ラベルの貼付位置の位置決めを行い、その状態で露呈された粘着面を被貼付物の貼付面に接着させ、しかる後、前記第１部分をラベルから剥離してラベルの全面を接着させることを特徴とするラベルシートを用いたラベル貼付方法。
【発明の詳細な説明】
【０００１】
【発明の属する技術分野】
本発明は、粘着剤が塗布されたラベルと、前記粘着剤が塗布された接着面を貼り付け時までの間保護する離型紙とからなるラベルシートとこのラベルシートを用いたラベル貼付方法に関するものである。
【０００２】
【従来の技術】
粘着剤が塗布され被貼付物に接着される粘着面を有するラベルと、このラベルを被貼付物へ貼付するまでの間前記粘着剤を保護するために粘着面に貼付され、前記被貼付物への貼付時にラベルから剥がされる離型紙とからなるラベルシートが知られている（例えば、特許文献１参照）。ラベルを被貼付物に貼付する際には、まず、離型紙からラベルを剥がして、ラベルの粘着面の全面を露呈させる。そして、ラベルの粘着面が被貼付物に接触しないようにラベルと被貼付物とを離した状態でラベルの貼付位置の位置決めを目測により行い、ラベルを被貼付物に接着させる。
【０００３】
【特許文献１】
特開平１０−９０８３６号公報
【０００４】
【発明が解決しようとする課題】
しかしながら、上記のように目測でラベルの貼付位置を位置決めする方法では、位置決めの精度が悪く位置ズレが生じやすいという問題があった。貼付位置がズレてしまった場合には、ラベルを貼り直さなければならないので、時間と材料のロスが生じる。そこで、慎重に位置決めを行うことで、位置決めの失敗を減らし材料のロスを少なくすることはできるが、その分時間がかかってしまう。製品の生産工程においては、僅かなタイムロスが製造コストを増加させる要因となる。特に、製品を大量に生産する場合には、このようなタイムロスによるコスト増加額は無視できない額となる。
【０００５】
本発明は、簡単迅速に正確な位置決めができるラベルシートを提供することを目的とする。
【０００６】
【課題を解決するための手段】
前記目的を達成するために、本発明のラベルシートは、粘着剤が塗布され被貼付物に接着される粘着面を有するラベルと、このラベルを前記被貼付物へ貼付するまでの間前記粘着剤を保護するために前記粘着面に貼付され、前記被貼付物への貼付時にラベルから剥離される離型紙とからなるラベルシートにおいて、前記離型紙に、前記被貼付物の表面に形成された凸部と突き合わせることにより前記ラベルの貼付位置を位置決めする位置決め部を形成するとともに、この位置決め部によって位置決めをした状態でラベルの一部を前記被貼付物の貼付面に接着させることができるように、前記離型紙を、前記位置決め部が形成された第１部分と、この第１部分よりも先にラベルから剥離される第２部分との少なくとも２つの部分に分割したことを特徴とする。
【０００７】
前記ラベルのうち、前記被貼付物に貼付される貼付部分の他に、前記被貼付物に貼付されない不要部分が離型紙上にある場合には、前記不要部分の大半が前記第２部分と対面するように、前記第１及び第２の各部分を分かつ分割線を形成し、前記第２部分を前記貼付部分から剥離するときに、前記不要部分を前記第２部分とともに貼付部分から分離できるようにすることが好ましい。
【０００８】
本発明のラベルシートは、粘着剤が塗布され被貼付物に接着される粘着面を有するラベルと、このラベルを前記被貼付物へ貼付するまでの間前記粘着剤を保護するために前記粘着面に貼付され、前記被貼付物への貼付時にラベルから剥離される離型紙とからなるラベルシートを用いたラベル貼付方法において、少なくとも２つの部分に分割された前記離型紙の第２部分をラベルから剥離することにより、前記ラベルの粘着面の一部を露呈させ、前記被貼付物の表面に形成された凸部と前記離型紙の第１部分に形成された位置決め部分とを突き合わせて前記ラベルの貼付位置の位置決めを行い、その状態で露呈された粘着面を被貼付物の貼付面に接着させ、しかる後、前記第１部分をラベルから剥離してラベルの全面を接着させることを特徴とする。
【０００９】
【発明の実施の形態】
図１に示すレンズ付きフイルムユニット１０は、簡単な露光機構を備えたユニット本体に、予め製造時に未露光の写真フイルムを装填したものである。レンズアダプタ１１は、アダプタ本体１２と、このアダプタ本体１２に組み込まれたアナモルフィックレンズ１３とからなり、レンズ付きフイルムユニット１０の前面に着脱自在に取り付けられる。アナモルフィックレンズ１３は、撮影レンズ１４の前方に配置され、被写体光は、アナモルフィックレンズ１３，撮影レンズ１４の順に通過して写真フイルムに結像される。アナモルフィックレンズ１３を使用することにより、被写体像の横方向が圧縮されて、被写体を実際よりもスリムに写し込むことができる。
【００１０】
アダプタ本体１２の前面には、アナモルフイックレンズ１３を露呈するレンズ開口１６が形成されており、このレンズ開口１６の周囲には、前方に突出した隆起部１７が形成されている。アダプタ本体１２の前面には、外装用のラベル２１が貼付される。ラベル２１は、隆起部１７に対応する部分に開口２２が形成されており、略ドーナツ形状をしている。ラベル２１の裏面は、粘着剤が塗布された粘着面となっている。ラベル貼付工程においては、予め定められた貼付位置にラベル２１が位置するように正確に位置決めを行い、前記粘着面をアダプタ本体１２の表面に接着させることで、ラベル２１が貼付される。
【００１１】
図２及び図３に示すように、ラベル貼付工程に供給されるラベルシート２６は、前記ラベル２１と、離型紙２４とからなる。離型紙２４は、ラベル２１をアダプタ本体１２へ貼付するまでの間粘着剤を保護するためのもので、ラベル２１の粘着面に貼付される。図２（Ａ）は、ラベルシート２６の表面を示し、図２（Ｂ）は、ラベルシート２６の裏面を示す。図３は、ラベルシート２６の構成を示す斜視図である。
【００１２】
ラベル２１は、貼付形状に合わせて外周がカットされるとともに、開口２２を形成するための切り込み２８によって、中抜き部分２９と分割されている。中抜き部分２９は、不要な部分であるので、アダプタ本体１２にラベル２１が貼付された後、離型紙２４とともに廃棄される。
【００１３】
離型紙２４は、第１部分３１と第２部分３２の２つの部分に分割されている。前記第１部分３１と第２部分３２との分割線３４は、第２部分３２と中抜き部分２９をラベル２１から分離したときに、前記第１部分３１の端縁の一部が略Ｌ字形に開口２２から露呈されるように形成される。この露呈部分がラベル２１の貼付位置を位置決めするための位置決め部３１ａとなる。この位置決め部３１ａとアダプタ本体１２とを接触させ、隆起部１７と突き合わせることでラベル２１の位置決めがなされる。
【００１４】
また、中抜き部分２９の大半が第２部分３２と対面するように、分割線３４が形成されているので、第２部分３２をラベル２１から剥離するときに、前記中抜き部分２９を前記第２部分３２に張り付けた状態で第２部分３２とともにラベル２１から分離することができる。
【００１５】
図４及び図５に従ってラベル貼付の手順を説明する。まず、準備手順を説明する図４に示すように、ラベルシート２６から、図４（Ｂ）に示すように、第２部分３２をラベル２１から剥離して、図４（Ｃ）に示すように、ラベル２１の粘着面の一部を露呈させる。第２部分３２を剥離する際には、第２部分３２に中抜き部分２９を張り付けた状態で第２部分３２とともにラベル２１から分離させる。
【００１６】
準備が完了した後、図５（Ａ）に示すように、位置決め部３１ａをアダプタ本体１２と接触させ、隆起部１７のコーナーと突き合わせることにより、ラベル２１の貼付位置を位置決めする。このとき、第１部分３１はラベル２１に貼付られているので、ラベル２１がアダプタ本体１２に接着されてしまうことはない。位置決め部３１ａを設けたことで上記のように位置決めを行うことができるから、正確な位置決めを簡単にしかも迅速に行うことができる。
【００１７】
この位置決めがなされている状態で、ラベル２１の粘着面のうち、第２部分３２の剥離により露呈された部分をアダプタ本体１２に接着させる。位置決めをした状態でラベル２１の一部が接着されるので貼付位置に正確に貼付することができる。図５（Ｂ）に示すように、ラベル２１の一部を接着した後、第１部分３１をアダプタ本体１２から離してラベル２１から剥離する。このとき、すでにラベル２１の一部が接着されているので、位置ズレが生じることはない。そして、図５（Ｃ）に示すように、第１部分３１をラベル２１から剥がした後、ラベル２１の全面をアダプタ本体１２に接着する。
【００１８】
上記実施形態では、レンズ付きフイルムユニットのレンズアダプタにラベルを貼付する例で説明したが、被貼付物はレンズアダプタに限られない。また、離型紙を２つの部分に分割した例で説明したが、２つ以上であればいくつに分割してもよい。
【００１９】
また、開口が形成されたラベルを貼付する例で説明したが、図６に示すように、開口が形成されていないラベル５１でもよい。ラベルシート５２は、ラベル５１と、離型紙５３とからなる。離型紙５３は、分割線５４によって第１部分５６と、第２部分５７とに分割されている。第１部分５６には、Ｌ字形にミシン目５８が設けられており、第１部分５６から、コーナー部５９を簡単に切り離すことができるようになっている。コーナー部５９を切り離すことで、第１部分５６の端縁に位置決め部６１が形成される。
【００２０】
ラベル５１を被貼付物６２に貼付する際には、ラベル５１から第２部分３２を剥がして、ラベル５１の粘着面の一部を露呈させるとともに、コーナー部５９を切り離す。そして、位置決め部６１を被貼付物６２の凸部６２ａに突き合わせることで、位置決めを行い、その状態でラベル５１の一部を被貼付物６２に接着させる。しかる後、第１部分５６をラベル５１から剥がして、ラベル５１の全面を被貼付物６２に接着させる。
【００２１】
【発明の効果】
以上詳細に説明したように、本発明は、ラベルの粘着面を、被貼付物へ貼付するまでの間粘着面を保護するために前記粘着面に貼付される離型紙を、第１部分及び第２部分の少なくとも２つの部分に分割し、前記第２部分をラベルから剥離することにより、前記ラベルの粘着面の一部を露呈させ、前記被貼付物の表面に形成された凸部と前記第１部分に形成された位置決め部分とを突き合わせて前記ラベルの貼付位置の位置決めを行い、その状態で露呈された粘着面を被貼付物の貼付面に接着させ、しかる後、前記第１部分をラベルから剥離してラベルの全面を接着させるようにしたから、貼付位置の正確な位置決めを簡単かつ迅速に行うことができる。
【図面の簡単な説明】
【図１】ラベルが貼付されるレンズアダプタの説明図である。
【図２】ラベルシートの表面図と裏面図である。
【図３】ラベルシートの構成図である。
【図４】ラベル貼付の準備手順を示す説明図である。
【図５】ラベル貼付手順を示す説明図である。
【図６】開口が形成されていないラベルの説明図である。
【符号の説明】
１２　アダプタ本体
２１　ラベル
２２　開口
２４　離型紙
２６　ラベルシート
３１　第１部分
３１ａ　位置決め部
３２　第２部分
３４　分割線
【図１】
2004093899.tif 000003
【図２】
2004093899.tif 000004
【図３】
2004093899.tif 000005
【図４】
2004093899.tif 000006
【図５】
2004093899.tif 000007
【図６】
2004093899.tif 000008